(57)【要約】      （修正有）【課題】多様な種類の被支持物を空中浮揚方式で支持することができる支持ユニットを得る。【解決手段】支持ユニット１００は、下部磁石１１２を有する下部磁石部１１０、下部磁石部１１０の上部に下部磁石部１１０と間隔を置いて配置されて下部磁石１１０に対向される面の極性が下部磁石１１２と相互同一な上部磁石１２２を有する上部磁石部１２０及び上部磁石部１２０が結合されて昇降されることを許容する上部固定キャップ１３１と、上部固定キャップ１３１と連結されて下部磁石部１１０が結合された下部固定キャップ１３２と、上部固定キャップ１３２と下部固定キャップ１３２を間隔を置いて連結する繋ぎ部１３３を具備して構成されて、上部磁石部１２０が下部磁石部１１０の上部位置から離脱されることを防止する固定部１３０を含む構成を有する。【選択図】図１
2009162375.tif 000002
【特許請求の範囲】
【請求項１】
被支持物と設置面との間に介されて前記被支持物を設置面に対して支持する空中浮揚方式の支持ユニットにおいて、
下部磁石を有する下部磁石部と、
前記下部磁石部の上部に前記下部磁石部と間隔を置いて離隔配置されて前記下部磁石に対向される面の極性が前記下部磁石と相互同一な上部磁石を有する上部磁石部と、
前記上部磁石部が結合されて昇降されることを許容する上部固定キャップ、前記上部固定キャップと連結されて前記下部磁石部が結合された下部固定キャップおよび前記上部固定キャップと前記下部固定キャップとの間の一側に前記離隔された空間が露出するように前記上部固定キャップと前記下部固定キャップを間隔を置いて連結する繋ぎ部を具備して構成されて、前記上部磁石部が前記下部磁石部の上部位置から離脱されることを防止する固定部と、
を含むことを特徴とする空中浮揚方式の支持ユニット。
【請求項２】
前記繋ぎ部の材質は、ＡＢＳ樹脂を含むことを特徴とする請求項１に記載の空中浮揚方式の支持ユニット。
【請求項３】
前記下部固定キャップ及び前記下部磁石部のうちでいずれか一つには係止部が設けられて、他の一つには前記係止部がかみ合うかみ合い部が設けられることを特徴とする請求項１に記載の空中浮揚方式の支持ユニット。
【請求項４】
前記下部磁石部は前記下部磁石が収容された下部ケーシングを含み、
前記上部磁石部は前記上部磁石が収容された上部ケーシングを含むことを特徴とする請求項１に記載の空中浮揚方式の支持ユニット。
【請求項５】
前記上部固定キャップには、
前記上部ケーシングを収容して上側が開放されている上部収容部と、
前記上部収容部の上部に設けられて前記上部磁石部が上部方向に離脱されることを防止する係止突起とが形成され、
前記上部ケーシングの外周面には、前記係止突起に係止される外周縁突起が形成されていることを特徴とする請求項４に記載の空中浮揚方式の支持ユニット。
【請求項６】
前記外周縁突起は放射状で凹凸状に形成され、前記上部収容部の内側面との接触面がラウンディング処理されていることを特徴とする請求項５に記載の空中浮揚方式の支持ユニット。
【請求項７】
前記外周縁突起と前記係止突起との間に弾性材質の緩衝リングが設置されていることを特徴とする請求項５に記載の空中浮揚方式の支持ユニット。
【請求項８】
前記下部ケーシングの内側面は放射状で凹凸状に形成されることを特徴とする請求項４に記載の空中浮揚方式の支持ユニット。
【請求項９】
前記下部磁石部は前記下部ケーシングの下部に結合された下部パッキングをさらに含み、
前記上部磁石部は前記上部ケーシングの上部に結合された上部パッキングをさらに含むことを特徴とする請求項４に記載の空中浮揚方式の支持ユニット。
【請求項１０】
前記被支持物が下部に複数の振動防止用スパイクを有する場合、前記スパイクが一側に結合されるように前記スパイクの形状に対応されるように一側が形成されて前記上部磁石部の上部に他側が結合される補助下敷をさらに含むことを特徴とする請求項１に記載の空中浮揚方式の支持ユニット。
【請求項１１】
前記上部磁石部の外周面に沿って円形断面のリングが設置されるか、または半円形突起が形成されたことを特徴とする請求項１に記載の空中浮揚方式の支持ユニット。
【請求項１２】
前記固定部、前記下部磁石部及び前記上部磁石部が上下に逆転されて前記上部固定キャップに昇降可能に結合されて前記上部磁石部が設置面に接触されるように設置されることを特徴とする請求項１に記載の空中浮揚方式の支持ユニット。
【請求項１３】
前記被支持物の下部に一体で設置されることを特徴とする請求項１〜１２のいずれかに記載の空中浮揚方式の支持ユニット。
【発明の詳細な説明】
【技術分野】
【０００１】
本発明は、空中浮揚方式の支持ユニットに関し、より詳細には磁石の斥力を利用して被支持物と設置面との間に介されて被支持物を設置面に対して支持する空中浮揚方式の支持ユニットに関するものである。
【背景技術】
【０００２】
スピーカーや洗濯機または運動器具のような品物等(以下、‘被支持物’と称する)は使用する時に自体で振動が発生する。このような振動は人の耳で聞くことができる可聴周波数圏域に到逹して騷音を発生させる。
【０００３】
特に、最近になってアパートのような共同住宅での住居形態が普遍化されることによって周囲騒音に対する問題が大きく頭をもたげている。
【０００４】
このような被支持物の振動及びそれによる騷音を減殺する目的で被支持物の下部に防振マットなどの弾性体を敷いて被支持物からの振動を吸収するようにすることが一般的である。
【０００５】
しかし、従来の被支持物支持構造は使用期間が増加することによって疲れ荷重などによって徐徐に摩耗されるか、または破損されることがある。特に、被支持物の振動が従来の被支持物支持構造に直接触れる状態で伝達されるために、振動が效果的に吸収することが難しく、アパートのような住居空間での被支持物の振動及び騷音を效果的に低減させることができないという問題点がある。
【０００６】
一方、被支持物を設置面に対して支持するためのものとしては、単純に一つのケーシング内に同一な極同士が向かい合うように磁石の対を入れて磁石間の斥力を利用して支持するようになされた支持手段もある。しかし、これは部品が紛失される恐れがあって被支持物の底面にケーシング内に挿入されることができる突出構造物が形成されていなければならないために実用性が落ちて使用されていないのが実情である。
【０００７】
また、磁石間に離隔された状態が上部及び下部ケーシングによって密閉されるために空中浮揚方式によって支持される状態を肉眼で直接確認することができないという問題点がある。
【発明の開示】
【発明が解決しようとする課題】
【０００８】
このような問題を勘案して案出した本発明の目的は、多様な種類の被支持物を空中浮揚方式で支持することができる支持ユニットを提供することである。
【０００９】
本発明の他の目的は、使用期間が増加しても疲れ荷重などに対して耐えることができる空中浮揚方式の支持ユニットを提供することである。
【００１０】
本発明のまた他の目的は、アパートのような住居空間での被支持物からの伝達振動及び騷音を最小化することができる空中浮揚方式の支持ユニットを提供することである。
【００１１】
本発明の他の目的は、磁石を含めた部品を入れ替る必要がある場合には支持ユニットを容易に分解して入れ替ることができる支持ユニットを提供することである。
【００１２】
本発明の他の目的は、空中浮揚方式によって支持される状態を肉眼で直接確認することができる支持ユニットを提供することである。
【００１３】
本発明の他の目的は、磁石の設置構造を比較的簡単に設けることで製作費用を節減することができる支持ユニットを提供することである。
【００１４】
本発明の他の目的は、部品紛失の憂慮がない支持ユニットを提供することである。
【課題を解決するための手段】
【００１５】
前記目的を達成するための本発明による空中浮揚方式の支持ユニットは、被支持物と設置面との間に介されて前記被支持物を設置面に対して支持する空中浮揚方式の支持ユニットにおいて、下部磁石を有する下部磁石部と、前記下部磁石部の上部に前記下部磁石部と間隔を置いて離隔配置されて前記下部磁石に対向される面の極性が前記下部磁石と相互同一な上部磁石を有する上部磁石部と、前記上部磁石部が結合されて昇降されることを許容する上部固定キャップ、該上部固定キャップと連結されて前記下部磁石部が結合された下部固定キャップおよび前記上部固定キャップと前記下部固定キャップとの間に前記離隔された空間が露出するように前記上部固定キャップと前記下部固定キャップとを間隔を置いて連結する繋ぎ部を具備して構成され、前記上部磁石部が前記下部磁石部の上部位置から離脱されることを防止する固定部とを含む構成を有する。
【００１６】
前記上部固定キャップには、前記上部ケーシングを収容して上側が開放されている上部収容部と、前記上部収容部の上部に設けられて前記上部磁石部が上部方向に離脱されることを防止する係止突起とが形成され、前記上部ケーシングの外周面には前記係止突起に係止される外周縁突起が形成されているのが良い。
【００１７】
前記外周縁突起は、放射状で凹凸状に形成され、前記上部収容部の内側面との接触面がラウンディング(rounding)処理（丸め処理）されているのが良い。
【００１８】
前記外周縁突起と前記係止突起との間に弾性材質の緩衝リングが設置されていることが望ましい。
【００１９】
前記下部ケーシングの内側面は放射状で凹凸状に形成されたものであっても良い。
【００２０】
前記被支持物が下部に複数の振動防止用スパイク(spike)を有する場合、前記スパイクが一側に結合されるように前記スパイクの形状に対応されるように一側が形成されて、前記上部磁石部の上部に他側が結合される補助下敷をさらに含むことが望ましい。
【００２１】
前記上部磁石部の外周面に沿って円形断面のリングが設置されるか、または半円形突起が形成されても良い。
【００２２】
前記固定部、前記下部磁石部及び前記上部磁石部が上下に逆転されて、前記上部固定キャップに昇降可能に結合された前記上部磁石部が設置面に接触されるように設置されても良い。
【００２３】
前記被支持物の下部に正しくまたは上下が逆転された状態で一体に設置されることがある。
【発明の効果】
【００２４】
本発明によると、多様な種類の被支持物を支持ユニットによって空中浮揚方式で支持することができるし、支持ユニットの使用期間が増加しても疲れ荷重などに対して耐えることができる。
【００２５】
特に、支持ユニットが被支持物を空中浮揚方式で支持することでアパートのような住居空間での伝達振動及び騷音を最小化することができるし、磁石を含めた部品の入れ替えが容易である。
【００２６】
また、空中浮揚方式によって支持される状態を肉眼で直接確認することができるだけではなく構造が複雑でもなくて、磁石など支持ユニットの部品が紛失されることを防止することができる。
【発明を実施するための最良の形態】
【００２７】
以下においては添付図面を参照して本発明の実施形態を詳しく説明する。本発明の一実施例による空中浮揚方式の支持ユニット１００は、図１及び図２に示すように、下部磁石部１１０と、上部磁石部１２０と、固定部１３０を含む。
【００２８】
下部磁石部１１０は、図２に示すように、下部ケーシング１１１と、下部磁石１１２を含む。本発明のまた他の実施例として、下部磁石部１１０は図６及び図７に示すように、下部ケーシング１１１の下部に結合された下部パッキング１１３をさらに含むこともできる。これによって、下部パッキング１１３によって支持ユニット１００の下部面と設置面との間の接触力を増加させることができる。
【００２９】
下部ケーシング１１１は、図２に示すように、内部に下部磁石１１２を収容するように形成された下部磁石収容空間１１１aと、後述する下部固定キャップ１３２の係止部１３２ｂがかみ合うかみ合い部１１１ｂを含む。本発明の一実施例として、図４に示すように、下部磁石収容空間１１１aの内側面は平面視において放射状で凹凸状に形成されることが望ましい。これによって、下部ケーシング１１１の材料消耗量を減らすことで製造費用を節減することができる。
【００３０】
本発明のまた他の実施例として、図７に示すように、下部ケーシング１１１は下部に下部パッキング１１３が結合されるように形成された下部パッキング収容部１１１cをさらに含むこともできる。
【００３１】
上部磁石部１２０は、図２に示すように、下部磁石部１１０の上部に配置されて、上部ケーシング１２１と、上部磁石１２２と、緩衝リング１２３を含む。本発明のまた他の実施例として、上部磁石部１２０は図６及び図７に示すように、上部ケーシング１２１の上部に結合された上部パッキング１２４をさらに含むこともできる。これによって、上部パッキング１２４によって支持ユニット１００の上部面と被支持物２００の下部面との間の接触力を増加させることができる。すなわち、下部パッキング１１３及び上部パッキング１２４によって被支持物２００及び設置面に接触される支持ユニット１００の接触面が滑らなくなることで支持ユニット１００または被支持物２００の転倒を防止することができる。
【００３２】
上部ケーシング１２１は、図２に示すように、内部に上部磁石１２２を収容するように形成された上部磁石収容空間１２１aと、平面視において外周面に放射状で凹凸状に形成された外周縁突起１２１bを含む(図３参照)。
【００３３】
本発明のまた他の実施例として、図７に示すように、上部ケーシング１２１は上部に上部パッキング１２４が結合されるように形成された上部パッキング収容部１２１cをさらに含むこともできる。
【００３４】
緩衝リング１２３は、図２及び図３に示すように、上部磁石部１２０が後述する上部固定キャップ１３１の係止突起１３１bに接触される時に衝撃を吸収するようにリング形状の弾性材質で設けられて外周縁突起１２１bの上部に結合される。
【００３５】
本発明の一実施例として、緩衝リング１２３は上部ケーシング１２１の外周縁突起１２１b上部に結合されたものを例にして説明するが、本発明のまた他の実施例として、緩衝リング１２３を上部固定キャップ１３１の係止突起１３１b内側面に結合させることもできる。
【００３６】
これによって、係止突起１３１b及び外周縁突起１２１bとの間の直接接触による摩耗を防止することができる。
【００３７】
本発明の一実施例として、下部パッキング１１３、上部パッキング１２４及び緩衝リング１２３の材質はゴムやウレタンのような弾性が十分な材質を含むことが望ましい。
【００３８】
上部磁石１２２は、図１及び図２に示すように、下部磁石１１２に対向される面の極性が上部磁石１２２に対向された下部磁石１１２面の極性と相互同一になるように配置されて上部磁石収容空間１２１aに収容される。これによって、下部磁石１１２と上部磁石１２２との間にはお互いに押し出す斥力が作用されて被支持物２００を空中浮揚方式で支持することができる。
【００３９】
一方、斥力を発生させる磁石の設置構造が下部磁石１１２及び上部磁石１２２で簡単に設けられることで支持ユニット１００の製作費用を節減することができる。
【００４０】
したがって、被支持物２００の振動が斥力が作用される上部磁石１２２及び下部磁石１１２との間の離隔された空間を通じて伝達することでアパートのような住居空間での伝達振動及び騷音を最小化することができる。
【００４１】
また、上部磁石部１２０が下部磁石部１１０に直接的に摩擦接触されないことで支持ユニット１００の使用期間が増加しても疲れ荷重などによる支持ユニット１００の摩耗や破損を最小化することができる。
【００４２】
固定部１３０は、図１及び図２に示すように、下部磁石部１１０と上部磁石部１２０との間に組み立て可能に介されて上部磁石部１２０が下部磁石部１１０の上部位置から離脱されることを防止して、上部固定キャップ１３１と、下部固定キャップ１３２と、上部固定キャップ１３１及び下部固定キャップ１３２との間を連結する繋ぎ部１３３を具備する。この繋ぎ部１３３は外方へふくらんでいる曲面形状で形成されているが、種々な形状に変形されることができる部分である。この繋ぎ部１３３は上部固定キャップ１３１と下部固定キャップ１３２との間に上部磁石部１２０と下部磁石部１００との間の離隔された空間が外部に露出するようにするためのものである。この連結部は１個だけ設置されても良いが、一対以上が間隔を置いて設置されることが望ましい。
【００４３】
上部固定キャップ１３１は、図２に示すように、上部磁石部１２０が昇降可能に結合されるように上部と下部が開放されて、上部ケーシング１２１を収容する上部収容部１３１aと、上部収容部１３１aの上部末端に開口１３４内側に形成されて上部磁石部１２０が下部磁石部１１０との斥力によって上部方向に離脱されることを防止する係止突起１３１bを含む。上部磁石部１２０の一部は開口１３４を通じて固定部１３０上方へ突出されている。
【００４４】
これによって、外周縁突起１２１bの上部に結合された緩衝リング１２３と係止突起１３１bとの間のかみ合いによって上部磁石部１２０が上部磁石１２２及び下部磁石１１２との間の斥力で下部磁石部１１０の上部位置から離脱されて跳ね出ることを抑制することができる。
【００４５】
一方、図３に示すように、外周縁突起１２１bが上部収容部１３１aの内側面と接触される側面はラウンディング(rounding)処理されることが望ましい。これによって、上部固定キャップ１３１の内部表面と上部ケーシング１２１の外周縁突起１２１bとの間の接触面積を最小化できる。
【００４６】
下部固定キャップ１３２は、図２及び図５に示すように、上部固定キャップ１３１に対応されるように設けられて上部固定キャップ１３１の下部に配置され、下部ケーシング１１１が収容される下部収容部１３２aと、下部固定キャップ１３２が下部磁石部１１０に結合されるようにかみ合い部１１１bにかみ合うフック(hook)形状で設けられる少なくとも一対の係止部１３２bを含む。
【００４７】
本発明の一実施例として、下部固定キャップ１３２に係止部１３２bが形成されて、下部磁石部１１０に係止部１３２bがかみ合うかみ合い部１１１bが形成されたものを例にして説明するが、本発明のまた他の実施例として、下部固定キャップ１３２にかみ合い部１１１bが形成されて、下部磁石部１１０に係止部１３２bが形成されても良い。
【００４８】
これによって、下部磁石部１１０に固定部１３０がワンタッチ方式で簡単に結合されて、固定部１３０によって上部磁石部１２０が下部磁石部１１０の上部位置から離脱されることが防止されることで、上部磁石１２２及び下部磁石１１２を含めた支持ユニット１００の部品が紛失されることを防止することができる。
【００４９】
一方、本発明の一実施例として、固定部１３０と下部磁石部１１０との間の結合はかみ合い結合であるものとして説明するが、本発明のまた他の実施例として、固定部１３０と下部磁石部１１０との間の結合は相互組み立てさえ可能であると、螺合や焼嵌めまたはボルト締結などのような多様な方法でなされることもできる。
【００５０】
これによって、磁石を含めた部品らを入れ替る必要がある場合には支持ユニット１００をいつでも分解して容易に入れ替ることができる。
【００５１】
それぞれの繋ぎ部１３３は、図５に示すように、剛性を有する材質で設けられて上部固定キャップ１３１と下部固定キャップ１３２との間に離隔された空間の少なくとも一部が外部に露出するように一側は上部固定キャップ１３１に結合されて、他側は下部固定キャップ１３２に結合される。本発明の一実施例として、繋ぎ部１３３の材質は非磁性体であり、加工性と耐衝撃性がすぐれたＡＢＳ(Acrylonitrile
Butadiene Styrene copolymer)樹脂を含むことが望ましい。
【００５２】
これによって、空中浮揚方式によって支持された状態を肉眼で直接確認することができるようになることで視覚的效果を通じた好奇心を誘発させて、磁石を含めた部品等の入れ替え時期を容易に把握することができる。
【００５３】
本発明の一実施例として、上部固定キャップ１３１、下部固定キャップ１３２及び繋ぎ部１３３を含む固定部１３０は射出成形、ダイキャスティングなどのような方法によって一体で形成されることが望ましい。よって、本発明の一実施例として、上部固定キャップ１３１、下部固定キャップ１３２及び繋ぎ部１３３を含む固定部１３０の材質はＡＢＳ樹脂を含むことが望ましい。
【００５４】
本発明の一実施例として、固定部１３０はＡＢＳ樹脂材質で設けられるものとして説明するが、本発明のまた他の実施例として、固定部１３０はアルミニウムダイキャスティングや銅(copper)射出成形による方法、すなわち加工が容易で非磁性を帯びる金属材料を加工して設けることもできる。
【００５５】
これによって、図８に示すように、支持ユニット１００がスピーカーのような被支持物２００と設置面との間に介されて被支持物２００を設置面に対して空中浮揚方式で支持することができる。
【００５６】
一方、本発明のまた他の実施例として、図１１に示すように、被支持物２００が下部に複数の振動防止用スパイク(spike)２１０を有するスピーカーである場合、スパイク２１０が一側に結合されるようにスパイク２１０の形状に対応されるように一側が形成されて、上部磁石部１２０の上部に他側が結合される補助下敷１４０をさらに含むこともできる。
【００５７】
補助下敷１４０は、図９及び図１０に示すように、一側に円錐形状のスパイク２１０が挿入されるように凹に形成されたスパイク結合部１４１と、他側に上部磁石部１２０の上部ケーシング１２１が結合されるように凹に形成された磁石部結合部１４２を含む。
【００５８】
これによって、スパイク２１０を有するスピーカーのような被支持物２００を支持する時に、スパイク２１０をスピーカーからいちいち解体する必要なしにすぐスパイク２１０がスピーカーのような被支持物２００に結合された状態で支持ユニット１００によってスピーカーを簡便に支持することができる。
【００５９】
本発明の一実施例として、被支持物２００はスピーカーである例について説明するが、本発明のまた他の実施例として、支持ユニット１００の個数や配列を多様に適用して冷蔵庫、エアコン、洗濯機、ピアノ、ランニングマシンのような運動器具及びＴＶなどのような多様な種類の被支持物２００を空中浮揚方式で支持することもできる。
【００６０】
一方、本発明のまた他の実施例として、図１２に示すように、固定部１３０の上部固定キャップ１３１及び下部固定キャップ１３２の配置が逆転されて下部磁石部１１０の下部ケーシング１１１が被支持物２００である洗濯機の下部面に結合されて、上部固定キャップ１３１に昇降可能に結合された上部磁石部１２０の上部ケーシング１２１が設置面３００に接触するようにすることもできる。
【００６１】
また、本発明による支持ユニット１００は被支持物２００の下部に一体で結合されて冷蔵庫、エアコン、洗濯機、ピアノ、ランニングマシンのような運動器具、ＴＶ及びスピーカーなどのような多様な種類の被支持物２００と一体で設けられても良い。
【００６２】
このような構成によって、本発明の一実施例による空中浮揚方式の支持ユニット１００を組立てる過程を図１ないし図５を参照して説明すると次のようになる。
【００６３】
まず、下部ケーシング１１１の下部磁石収容空間１１１aに下部磁石１１２を結合する。これによって、下部磁石部１１０を設けることができる。
【００６４】
次に、上部ケーシング１２１の上部磁石収容空間１２１aに上部磁石１２２を結合して、外周縁突起１２１bの上部に緩衝リング１２３を結合する。これによって、上部磁石部１２０を設けることができる。
【００６５】
下部固定キャップ１３２の下部収容部１３２aの貫通開口を通じて上部磁石部１２０を固定部１３０に挿入して上部磁石部１２０を上部固定キャップ１３１の上部収容部１３１aに向けて押し入れる。
【００６６】
最後に、下部磁石部１１０の下部ケーシング１１１を固定部１３０の下部固定キャップ１３２の下部収容部１３２aの貫通開口に挿入して、下部固定キャップ１３２の係止部１３２bを下部ケーシング１１１のかみ合い部１１１bにかみ合うようにして下部磁石部１１０を固定部１３０に結合させる。
【００６７】
このような本発明によると、被支持物２００と設置面との間に介されて被支持物２００を設置面に対して空中浮揚方式で支持することができる支持ユニット１００を提供することができる。
【００６８】
なお、本発明による空中浮揚方式の支持ユニット１００aは図１３に示すように、固定部１３０において上部固定キャップ１３１と下部固定キャップ１３２との間に内部を見られる穴１３３aを形成して図１の外にふくらんでいる繋ぎ部１３３の代りに直線型の繋ぎ部１３３を作ることもできる。そして、図１とは違い下部ケーシング１１１の外周面と下部固定キャップ１３２の内周面に螺旋１１１d、１３２cをそれぞれ形成してお互いに結合するようにすることができる。そして、上部磁石部１２０は開口１３４を通じて固定部１３０上方へ突出されないようにすることができる。また、上部ケーシング１２１の外周面にリング溝１３５を形成して、ここに円形断面のリング１３６を挟むか、または半円形態断面の突起を外周面に直接形成して上部ケーシング１２１の左右流動を防止することができる。残りは図１ないし図１２を通じて説明したものと同様である。本発明の実施例は本発明の望ましい例を例示したものであるだけで、本発明の範囲を制限することではなく、変形された同等の支持ユニットは本発明に含まれる。
【図面の簡単な説明】
【００６９】
【図１】本発明の一実施例による支持ユニットの断面図である。
【図２】図１の分解図である。
【図３】図２の緩衝リングと上部ケーシングとの斜視図である。
【図４】図２の下部ケーシングの斜視図である。
【図５】図２の固定部の斜視図である。
【図６】本発明のまた他の実施例による支持ユニットの断面図である。
【図７】図６の分解図である。
【図８】図６の支持ユニットを適用した実施例を示す図面である。
【図９】本発明のまた他の実施例によって補助下敷が結合される支持ユニットを示す図面である。
【図１０】図９の補助下敷の斜視図である。
【図１１】図９の支持ユニットを適用した実施例を示す図面である。
【図１２】本発明のまた他の実施例によって支持ユニットが引っ繰り返った状態で被支持物に一体で結合されることを示す図面である。
【図１３】図１の変形例を示す図面である。
【符号の説明】
【００７０】
１００、１００a  支持ユニット
１１０  下部磁石部
１１１  下部ケーシング
１１１a  下部磁石収容空間
１１１b  かみ合い部
１１２  下部磁石
１２０  上部磁石部
１２１  上部ケーシング
１２１a  上部磁石収容空間
１２１b  外周縁突起
１２２  上部磁石
１２３  緩衝リング
１３０  固定部
１３０a  離隔部
１３１  上部固定キャップ
１３１a  上部収容部
１３１b  係止突起
１３２  下部固定キャップ
１３２a  下部収容部
１３２b  係止部
１３３  繋ぎ部
１３３a  穴
２００  被支持物
【図１】
2009162375.tif 000003
【図２】
2009162375.tif 000004
【図３】
2009162375.tif 000005
【図４】
2009162375.tif 000006
【図５】
2009162375.tif 000007
【図６】
2009162375.tif 000008
【図７】
2009162375.tif 000009
【図８】
2009162375.tif 000010
【図９】
2009162375.tif 000011
【図１０】
2009162375.tif 000012
【図１１】
2009162375.tif 000013
【図１２】
2009162375.tif 000014
【図１３】
2009162375.tif 000015